(57)【要約】【課題】利用者の眼球に光が入射することによって健康被害が発生する可能性を、低減することができる認識装置を提供する。【解決手段】認識装置１０１は、投光範囲に投光する投光部１０５と、前記投光範囲の一部又は全部を含む撮像範囲から撮像画像を取得する撮像部１０７と、前記撮像部により取得された撮像画像に基づいて、前記撮像範囲に認識対象物があれば、これを認識する対象物認識部１０９と、前記撮像部により取得された撮像画像に基づいて、前記撮像範囲に人面の全部又は一部があれば、これを認識する人面認識部１１１と、前記人面認識部が前記人面の全部又は一部があることを認識したならば、前記投光部による前記投光を調整する制御部１１９と、を備えることを特徴とする。【選択図】図１
2017174179.tif 000002
【特許請求の範囲】
【請求項１】
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段による前記投光を調整する制御手段と、
を備えることを特徴とする認識装置。
【請求項２】
請求項１に記載の認識装置であって、
前記投光手段は、前記制御手段による前記投光の調整がある期間では、滅灯又は減灯することを特徴とする認識装置。
【請求項３】
請求項１又は２に記載の認識装置であって、
前記投光手段は、前記制御手段による前記投光の調整がない期間では、連続的に投光をすることを特徴とする認識装置。
【請求項４】
請求項１又は２に記載の認識装置であって、
前記投光手段は、前記制御手段による前記投光の調整がない期間では、断続的に投光を繰り返すことを特徴とする認識装置。
【請求項５】
請求項１乃至４の何れか１項に記載の認識装置であって、
前記認識手段は、一次元又は二次元のコードを認識するものであることを特徴とする認識装置。
【請求項６】
請求項１乃至４の何れか１項に記載の認識装置であって、
前記認識手段は、物品を認識するものであることを特徴とする認識装置。
【請求項７】
請求項１乃至６の何れか１項に記載の認識装置を備えることを特徴とするＰＯＳシステム。
【請求項８】
投光範囲に投光する投光ステップと、
前記投光範囲の一部又は全部を含む撮像範囲から撮像画像を取得する撮像ステップと、
前記撮像ステップにより取得された撮像画像に基づいて、前記撮像範囲に認識対象物があれば、これを認識する対象物認識ステップと、
前記撮像ステップにより取得された撮像画像に基づいて、前記撮像範囲に人面の全部又は一部があれば、これを認識する人面認識ステップと、
前記人面認識ステップにより前記人面の全部又は一部があることを認識したならば、前記投光ステップによる前記投光を調整する制御手段と、
を備えることを特徴とする認識方法。
【請求項９】
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段による前記投光を調整する制御手段と、
を備えることを特徴とする認識装置としてコンピュータを機能させるための認識用プログラム。
【発明の詳細な説明】
【技術分野】
【０００１】
本発明は、対象物に投光し、そこからの反射光に基づいて、対象物を認識するための認識装置に関する。
【背景技術】
【０００２】
従前より、ＰＯＳシステムには、バーコード又はＱＲコード（登録商標）を撮像して認識するためのコードリーダ（以下、「認識装置」ともいう。）を含むものがある。コードリーダは、例えば、商品や商品の梱包に付されているバーコード等の一次元コード又はＱＲコード等の二次元コードを認識するためのものであり、この認識のためには、バーコード又はＱＲコード及びその周辺に投光して、そこからの反射光に基づいて、即ち、対象物の画像を撮像し、画像解析してバーコード又はＱＲコードを認識する。
【０００３】
特許文献１には、コード読取装置において、装置の電源ＯＮ時、光源の光量を徐々に増加させて点灯させ、装置の電源ＯＦＦ時、光源の光量を徐々に減少させて消灯させることが開示されている。
【先行技術文献】
【特許文献】
【０００４】
【特許文献１】特開２０１２−２５６３１２号公報
【非特許文献】
【０００５】
【非特許文献１】"Robust Real-time Object Detection", 2nd International Workshop on Statistical and Computational Theories of Vision- Modeling, Learning, Computing and Sampling, July 2001; URL: https://www.cs.cmu.edu/~efros/courses/LBMV07/Papers/viola-IJCV-01.pdf（ネット検索  平成２８年３月１１日）
【発明の概要】
【発明が解決しようとする課題】
【０００６】
しかしながら、対象物に投光することが意図されている認識装置であるものの、必ずしも安全に利用されるとは限らず、利用の態様によっては、認識装置から出射した光が、利用者又は周辺にいる者の眼球に入射してしまう可能性がある。認識装置から出射した光は、認識における誤り率を下げるために、比較的強度が高い。通常の利用者であれば、入射した光により視覚が害されるようなことは殆どありえないが、光に敏感な利用者又は後天的な要因で光放射に敏感になった利用者においては、健康被害が発生する可能性がないとはいえない。
【０００７】
特許文献１の発明は、装置の電源ＯＮ時に徐々に光量を増加させ、電源ＯＦＦ時に徐々に光量を減少させるものであるが、このような問題を解決するものではない。
【０００８】
そこで本発明は、利用者の眼球に光が入射することによって健康被害が発生する可能性を、低減することができる認識装置、認識方法及び認識用プログラムを提供することを目的とする。
【課題を解決するための手段】
【０００９】
本発明によれば、
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段による前記投光を調整する制御手段と、
を備えることを特徴とする認識装置が提供される。
【００１０】
また、本発明によれば、上記の認識装置を備えることを特徴とするＰＯＳシステムが提供される。
【００１１】
更に、本発明によれば、
投光範囲に投光する投光ステップと、
前記投光範囲の一部又は全部を含む撮像範囲から撮像画像を取得する撮像ステップと、
前記撮像ステップにより取得された撮像画像に基づいて、前記撮像範囲に認識対象物があれば、これを認識する対象物認識ステップと、
前記撮像ステップにより取得された撮像画像に基づいて、前記撮像範囲に人面の全部又は一部があれば、これを認識する人面認識ステップと、
前記人面認識ステップにより前記人面の全部又は一部があることを認識したならば、前記投光ステップによる前記投光を調整する制御手段と、
を備えることを特徴とする認識方法が提供される。
【００１２】
更に、本発明によれば、
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段による前記投光を調整する制御手段と、
を備えることを特徴とする認識装置としてコンピュータを機能させるための認識用プログラムが提供される。
【発明の効果】
【００１３】
本発明によれば、利用者の眼球に光が入射することによって健康被害が発生する可能性を、低減することができる。
【図面の簡単な説明】
【００１４】
【図１】本発明の実施の形態による認識装置及びそれに接続されたＰＯＳ端末装置の構成を示す機能ブロック図である。
【図２】本発明の実施の形態における投光範囲及び撮像範囲の４通りの関係を示す図である。
【図３】（ａ）は、本発明の実施の形態における撮像範囲にあるバーコード（一次元コード）を示す図であり、（ｂ）は、当該撮像範囲にある人面の全体を示す図であり、（ｃ）は、当該撮像範囲にある人面の一部を示す図である。
【図４】本発明の第１の実施の形態による認識装置の動作を説明するためのフローチャートである。
【図５】（ａ）は、本発明の第１の実施の形態による認識装置の動作の例を説明するためのタイミングチャートであり、（ｂ）は、本発明の第１の実施の形態による認識装置の動作の他の例を説明するためのタイミングチャートである。
【図６】本発明の第２の実施の形態による認識装置の動作を説明するためのフローチャートである。
【図７】図６に示すステップＳ３０１又はＳ３０７の詳細を示すためのフローチャートである。
【図８】（ａ）は、本発明の第２の実施の形態による認識装置の動作の例を説明するためのタイミングチャートであり、（ｂ）は、本発明の第２の実施の形態による認識装置の動作の他の例を説明するためのタイミングチャートである。
【発明を実施するための形態】
【００１５】
本発明の実施の形態について図面を参照して詳細に説明する。
【００１６】
［第１の実施の形態］
図１は、本発明の第１の実施の形態による認識装置及びそれに接続されたＰＯＳ端末装置を示す機能ブロック図である。
【００１７】
図１を参照すると、本実施形態による認識装置１０１は、ＰＯＳ端末装置に接続され、認識装置１０１自体が認識したバーコード又はＱＲコードなどの一次元又は二次元のコードを表すデータをＰＯＳ端末装置１０３に送信する。
【００１８】
認識装置１０１は、投光部１０５、撮像部１０７、対象物認識部１０９、人面認識部１１１、入力部１１３、表示部１１５、通信部１１７及び制御部１１９を含む。
【００１９】
投光部１０５は、所定の投光範囲に投光をする。
【００２０】
撮像部１０７は、投光範囲の一部又は全部を含む撮像範囲から撮像画像を取得する。ここで、撮像部１０７は、投光部１０５が投光をしている時にも投光をしていない時にも撮像範囲から撮像画像を取得することができる。
【００２１】
対象物認識部１０９は、撮像部１０７により取得された撮像画像に基づいて、撮像範囲に認識対象物があれば、それを認識する。特に、対象物認識部１０９は、投光部１０５が投光をしている時には、撮像部１０７により取得された撮像画像に基づいて認識対象物を認識することを極めて低い誤り率で行うことができる。特に、対象物認識部１０９は、利用者などにより撮像範囲に投光された一次元又は二次元のコードが配置されている時には、撮像画像から上述した一次元又は二次元のコードを極めて低い誤り率で認識する。
【００２２】
図２を参照すると、実線の枠は、投光範囲を示し、破線の枠は、撮像範囲を示す。一般には、図２（ａ）に示すように、投光範囲と撮像範囲は、一部が重複するが、図２（ｂ）に示すように、投光範囲と撮像範囲は完全に一致してもよいし、図２（ｃ）に示すように、投光範囲に撮像範囲が含まれてもよいし、図２（ｄ）に示すように撮像範囲に投光範囲が含まれてもよい。通常は、投光範囲と撮像範囲が重複する領域に認識対象物が配置されたならば、その認識対象物を認識する。この例を図３（ａ）に示す。図３（ａ）は、投光範囲と撮像範囲が重複する領域にバーコード（一次元コード）が配置された状態を示しているが、この状態において認識装置１０１は、バーコードを認識することができる。
【００２３】
人面認識部１１１は、撮像部１０７により取得された撮像画像に基づいて、撮像範囲に人面の全部又は一部があれば、それを認識する。特に、人面認識部１１１は、投光部１０５が投光をしている時にも投光をしていない時にも撮像部１０７が取得した撮像画像に人面の全部又は一部があれば、それを認識することができる。人面認識部１１１は、例えば、非特許文献１に記載されている方法を用いて、人面を認識することができる。
【００２４】
人面認識部１１１は、例えば、図３（ｂ）に示すように撮像範囲に人面の全部が配置されている時と、例えば、図３（ｃ）に示すように撮像範囲に人面の一部が配置されている時に、撮像範囲に人面が存在することを認識する。
【００２５】
入力部１１３は、利用者からの操作を受け付ける部分である。例えば、認識装置１０１の機能のオン・オフのための操作、動作モード設定のための操作などを利用者から受け付ける。
【００２６】
表示部１１５は、利用者に対して表示を行う部分である。例えば、現在における機能のオン・オフの状態、設定されている動作モードなどを表示する。また、対象物の認識を正常に行うことができたか否かも表示する。
【００２７】
通信部１１７は、対象物認識部１０９が認識対象物の画像を含む撮像画像から認識対象物を認識したならば、認識の結果をＰＯＳ端末装置１０３に送信する。例えば、対象物認識部１０９が一次元又は二次元のコードを認識したならば、そのコードを表すデータをＰＯＳ端末装置１０３に送信する。
【００２８】
制御部１１９は、認識装置１０１に含まれる上述した各部を制御する。詳細は、後述するが、制御部１１９による制御により、認識装置１０１は、次のような動作を行う。すなわち、人面認識部１１１が人面を認識していない通常期間においては、投光部１０５は、通常通りの投光を行い、これに応じて、撮像部１０７は、投光状態における撮像画像を取得し、対象物認識部１０９は、撮像部１０７が取得した撮像画像に基づいて、対象物の認識を行い、通信部１１７は、認識した対象物を表すデータをＰＯＳ端末装置１０３に送信する。そして、人面認識部１１１が人面を認識すると、投光部１０５が強い光で人の目を照射することを避けるために、投光部１０５は、人面認識部１１１が人面を認識している期間及び、必要ならば、それに続く一定期間において、投光部１０５は、滅灯又は減灯する。これらの期間においては、対象物認識部１０９は、対象物の認識を休止する。そして、人面認識部１１１が人面を認識しなくなってから、又は、それから一定期間経過してから、通常時の動作を再開する。
【００２９】
次に、図４を参照して、本実施形態による認識装置の動作の説明をする。
【００３０】
スタートすると、まず、制御部１１９は、投光部１０５の点灯を開始する（ステップＳ２０１）。次に、撮像部１０７は、撮像範囲を撮像する（ステップＳ２０３）。次に、制御部１１９は、人面認識部１１１が人面を認識したか否かを判断する（ステップＳ２０５）。
【００３１】
人面を認識していないならば（ステップＳ２０５でＮＯ）、制御部１１９は、対象物認識部１０９が対象物を認識したか否かを判断する（ステップＳ２０７）。
【００３２】
対象物を認識しているならば（ステップＳ２０７でＹＥＳ）、通信部１１７は、認識結果を表すデータをＰＯＳ端末装置１０３に送信してから（ステップＳ２０９）、ステップＳ２０３に戻る。
【００３３】
こうすることにより、人面を検出しない限り（ステップＳ２０５でＮＯ）、対象物認識部１０９が認識した対象物を表すデータをＰＯＳ端末装置１０３に送信することが可能となる。
【００３４】
人面を検出したならば（ステップＳ２０５でＹＥＳ）、制御部１１９は、投光部１０５を滅灯又は減灯し（ステップＳ２１１）、タイマー値Ｔをゼロに初期化する（ステップＳ２１３）。ここで、タイマー値Ｔは、滅灯期間（又は減灯期間）を制御するために用いられるものである。
【００３５】
人面を検出している間は、タイマー値Ｔをゼロにすることを繰り返す（ステップＳ２１３、ステップＳ２１５でＹＥＳ）。
【００３６】
人面を検出しなくなったら（ステップＳ２１５でＮＯ）、タイマー値Ｔを増加させる（ステップＳ２１７）。
【００３７】
ここで、再度、人面を検出したならば（ステップＳ２１９でＹＥＳ）、ステップＳ２１３に戻る。
【００３８】
人面を検出しないうちに、タイマー値Ｔの増加を繰り返し（Ｓ２１７、Ｓ２１９でＮＯ、Ｓ２２１でＮＯ）、タイマー値Ｔが所定の閾値Ｔｗに達したならば（ステップＳ２２１でＹＥＳ）、ステップＳ２０１に戻り、投光を再開する。
【００３９】
なお、投光部１０５を滅灯又は減灯し（ステップＳ２１１）、ステップＳ２１３〜ステップＳ２２１に替えて、所定時間経過した後にステップＳ２０１に戻るようにしてもよい。
【００４０】
次に動作例の説明をする。
【００４１】
図５（ａ）を参照すると、人面を認識していない期間は、対象物を低い誤り率で認識するために必要な光量Ｐを継続的に維持しているが、人面を認識している期間Tｆ及びそれに続く期間（閾値Ｔｗに対応する長さを持つ）においては、光量は減らされる。これらの期間Ｔｆ、Ｔｗでは、光量はゼロとなってもよい。これらの期間Ｔｆ、Ｔｗが終了したならば、光量は元の値Ｐに戻る。
【００４２】
なお、Ｔｗをゼロとして、人面を認識しなくなったならば、すぐに、光量を元の値に戻してもよい。
【００４３】
図５（ｂ）は、人面を認識している期間に続く閾値Ｔｗに対応する期間が満了する前に、再度人面を認識するようになる場合の例である。再度人面を認識した時には、図４のステップＳ２１９でＹＥＳとなる。その後、人面を認識している期間Ｔｆ及びそれに続く期間（閾値Ｔｗに対応する長さを持つ）において光量は減らされる。これらの期間が終了したならば、光量は元の値Ｐに戻る。
【００４４】
［第２の実施の形態］
第１の実施の形態においては、投光部１０５は、制御部１１９による投光の調整がない期間では、連続的に投光をするものであった。これに対して、本実施の形態では、投光部１０５は、制御部１１９による投光の調整がない期間では、断続的に投光を繰り返す。
【００４５】
本実施の形態による認識装置１０１は、第１の実施の形態による認識装置１０１と同様な構成を持つので、これについての重複する説明は省略する。
【００４６】
次に、図６を参照して、本実施形態による認識装置の動作の説明をする。
【００４７】
スタートすると、まず、時間ΔＴ１だけ待ち（ステップＳ３０１）、その後に、制御部１１９は、投光部１０５の点灯を開始する（ステップＳ３０３）。次に、撮像部１０７は、撮像範囲を撮像する（ステップＳ３０５）。次に、時間ΔＴ２だけ待ち（ステップＳ３０７）、その後に、制御部１１９は、投光部１０５を滅灯又は減灯する（ステップＳ３０９）。
【００４８】
次に、制御部１１９は、対象物認識部１０９が対象物を認識したか否かを判断する（ステップＳ３１１）。
【００４９】
対象物を認識しているならば（ステップＳ３１１でＹＥＳ）、通信部１１７は、認識結果を表すデータをＰＯＳ端末装置１０３に送信してから（ステップＳ３１３）、ステップＳ３０１に戻る。
【００５０】
対象物を認識していないならば(ステップＳ３１１でＮＯ)、直接、ステップＳ３０１に戻る。
【００５１】
上記の動作を繰り返すことにより、投光部１０５は、周期ΔＴ１＋ΔＴ２で、期間ΔＴ２において点灯、ΔＴ１において滅灯又は減灯の動作を繰り返す。投光部１０５が点灯している期間に、撮像範囲に認識するべき対象物が入れば、対象物認識部１０９は、それを認識して、通信部は、認識結果を表すデータをＰＯＳ端末装置１０３に送信することができる。
【００５２】
ここで、ステップＳ３０１及びステップＳ３０７の詳細を図７を参照して説明する。まず、タイマー値Ｔをゼロにリセットする（ステップＳ３３１）。次に、タイマー値Ｔを増加させる（ステップＳ３３３）。次に、制御部１１９は、人面認識部１１１が人面を認識したか否かを判断する（ステップＳ３３５）。人面を認識していないならば（ステップＳ３３５でＮＯ）、ステップＳ３３７に進む。ステップＳ３３７では、タイマー値Ｔが所定の閾値ΔＴ（ΔＴ１又はΔＴ２）以上となったかを判断し、そうでなければステップＳ３３３に戻り、そうであれば次のステップ（ステップＳ３０３又はステップＳ３０９）に進む。
【００５３】
従って、図７の周期的な動作（ステップＳ３３３、Ｓ３３５及びＳ３３７）を繰り返している最中に、人面認識部１１１が人面を認識せずに、タイマー値ＴがΔＴに達したならばステップＳ３０３又はＳ３０９に進む。
【００５４】
また、図７の周期的な動作（ステップＳ３３３、Ｓ３３５及びＳ３３７）を繰り返している最中に、人面認識部１１１が人面を認識したならば（ステップＳ３３５でＹＥＳ）ステップＳ３１５に進み、ここで制御部１１９は、投光部１０５を滅灯又は減灯する。
【００５５】
次に、ステップＳ３１５を実行したならば、タイマー値Ｔをゼロに初期化する（ステップＳ３１７）。ここで、タイマー値Ｔは、滅灯期間（又は減灯期間）を制御するために用いられるものである。
【００５６】
人面を検出している間は、タイマー値Ｔをゼロにすることを繰り返す（ステップＳ３１７、ステップＳ３１９でＹＥＳ）。
【００５７】
人面を検出しなくなったら（ステップＳ３１９でＮＯ）、タイマー値Ｔを増加させる（ステップＳ３２１）。
【００５８】
ここで、再度、人面を検出したならば（ステップＳ３２３でＹＥＳ）、ステップＳ３１７に戻る。
【００５９】
人面を検出しないうちに、タイマー値Ｔの増加を繰り返し（Ｓ３２１、Ｓ３２３でＮＯ、Ｓ３２５でＮＯ）、タイマー値Ｔが所定の閾値Ｔｗに達したならば（ステップＳ３２５でＹＥＳ）、ステップＳ３０１に戻る。
【００６０】
なお、投光部１０５を滅灯又は減灯し（ステップＳ３１５）、ステップＳ３１７〜ステップＳ３２５に替えて、所定時間経過した後にステップＳ３０１に戻るようにしてもよい。
【００６１】
次に動作例の説明をする。
【００６２】
図８（ａ）を参照すると、人面を認識していない期間は、対象物を低い誤り率で認識するために必要な光量Ｐを断続的に繰り返し維持しているが、人面を認識している期間Ｔｆ及びそれに続く期間（閾値Ｔｗに対応する長さを持つ）においては、光量は減らされる。これらの期間Ｔｆ、Ｔｗでは、光量はゼロとなってもよい。これらの期間Ｔｆ、Ｔｗが終了したならば、対象物を低い誤り率で認識するために必要な光量Ｐを断続的に繰り返し維持する状態に戻る。
【００６３】
なお、Ｔｗをゼロとして、人面を認識しなくなったならば、すぐに、対象物を低い誤り率で認識するために必要な光量Ｐを断続的に繰り返し維持する状態に戻ってもよい。
【００６４】
図８（ｂ）は、人面を認識している期間に続く閾値Ｔｗに対応する期間が満了する前に、再度人面を認識するようになる場合の例である。再度人面を認識した時には、図６のステップＳ３２３でＹＥＳとなる。その後、人面を認識している期間Ｔｆ及びそれに続く期間（閾値Ｔｗに対応する長さを持つ）において光量は減らされる。これらの期間が終了したならば、対象物を低い誤り率で認識するために必要な光量Ｐを断続的に繰り返し維持する状態に戻る。
【００６５】
［第３の実施の形態］
第１及び第２の実施の形態では、対象物認識部１０９は、一次元又は二次元のコードを認識するものであった。
【００６６】
これに対して、第３の実施の形態では、対象物認識部１０９は、対象物の形状、模様及び／又は色彩により物品の認識をする。例えば、各種果物、各種野菜などの各種食品、各種日用品を特定種類の物品として認識する。
【００６７】
［第４の実施の形態］
第１乃至第３の実施の形態では、人面を認識することが無くなってから所定期間経過後、投光を再開することとしているが、人面を認識することが無くなってから、殆どの場合において利用者などによる投光再開の操作を受け付けた時点で、投光を再開するようにしてもよい。例えば、安全性を高めるために、所定期間を長めに設定しておいて、投光再開のためには、利用者による投光再開のための操作の受付けが殆どの場合必要となるようにしてもよい。
【００６８】
［第５の実施の形態］
第１乃至第３の実施の形態では、人面を認識することが無くなってから所定期間経過後、投光を再開することとしているが、人面を認識することが無くなってから、常に利用者などによる投光再開の操作を受け付けた時点で、投光を再開するようにしてもよい。例えば、安全性を高めるために、自動的には、投光を再開せず、投光再開のためには、利用者による投光再開のための操作の受付けが絶対的に必要となるようにしてもよい。
【００６９】
なお、上記の認識装置は、ハードウェア、ソフトウェア又はこれらの組合わせにより実現することができる。また、上記の認識装置により行なわれる認識方法も、ハードウェア、ソフトウェア又はこれらに組合わせにより実現することができる。ここで、ソフトウェアによって実現されるとは、コンピュータがプログラムを読み込んで実行することにより実現されることを意味する。
【００７０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
上記の実施形態の一部又は全部は、以下の付記のようにも記載されうるが、以下には限られない。
【００７１】
（付記１）
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段による前記投光を調整する制御手段と、
を備えることを特徴とする認識装置。
【００７２】
（付記２）
付記１に記載の認識装置であって、
前記投光手段は、前記制御手段による前記投光の調整がある期間では、滅灯又は減灯することを特徴とする認識装置。
【００７３】
（付記３）
付記１又は２に記載の認識装置であって、
前記投光手段は、前記制御手段による前記投光の調整がない期間では、連続的に投光をすることを特徴とする認識装置。
【００７４】
（付記４）
付記１又は２に記載の認識装置であって、
前記投光手段は、前記制御手段による前記投光の調整がない期間では、断続的に投光を繰り返すことを特徴とする認識装置。
【００７５】
（付記５）
付記１乃至４の何れか１項に記載の認識装置であって、
前記認識手段は、一次元又は二次元のコードを認識するものであることを特徴とする認識装置。
【００７６】
（付記６）
付記１乃至４の何れか１項に記載の認識装置であって、
前記認識手段は、物品を認識するものであることを特徴とする認識装置。
【００７７】
（付記７）
付記１乃至６の何れか１項に記載の認識装置を備えることを特徴とするＰＯＳシステム。
【００７８】
（付記８）
投光範囲に投光する投光ステップと、
前記投光範囲の一部又は全部を含む撮像範囲から撮像画像を取得する撮像ステップと、
前記撮像ステップにより取得された撮像画像に基づいて、前記撮像範囲に認識対象物があれば、これを認識する対象物認識ステップと、
前記撮像ステップにより取得された撮像画像に基づいて、前記撮像範囲に人面の全部又は一部があれば、これを認識する人面認識ステップと、
前記人面認識ステップにより前記人面の全部又は一部があることを認識したならば、前記投光ステップによる前記投光を調整する制御手段と、
を備えることを特徴とする認識方法。
【００７９】
（付記９）
付記８に記載の認識方法であって、
前記投光ステップでは、前記制御ステップによる前記投光の調整がある期間では、滅灯又は減灯することを特徴とする認識方法。
【００８０】
（付記１０）
付記８又は９に記載の認識方法であって、
前記投光ステップでは、前記制御ステップによる前記投光の調整がない期間では、連続的に投光をすることを特徴とする認識方法。
【００８１】
（付記１１）
付記８又は９に記載の認識方法であって、
前記投光ステップでは、前記制御ステップによる前記投光の調整がない期間では、断続的に投光を繰り返すことを特徴とする認識方法。
【００８２】
（付記１２）
付記８乃至１１の何れか１項に記載の認識方法であって、
前記認識ステップは、一次元又は二次元のコードを認識するものであることを特徴とする認識方法。
【００８３】
（付記１３）
付記８乃至１１の何れか１項に記載の認識方法であって、
前記認識ステップは、物品を認識するものであることを特徴とする認識方法。
【００８４】
（付記１４）
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段による前記投光を調整する制御手段と、
を備えることを特徴とする認識装置としてコンピュータを機能させるための認識用プログラム。
【００８５】
（付記１５）
付記１４に記載の認識用プログラムであって、
前記投光手段は、前記制御手段による前記投光の調整がある期間では、滅灯又は減灯することを特徴とする認識用プログラム。
【００８６】
（付記１６）
付記１４又は１５に記載の認識用プログラムであって、
前記投光手段は、前記制御手段による前記投光の調整がない期間では、連続的に投光をすることを特徴とする認識用プログラム。
【００８７】
（付記１７）
付記１４又は１５に記載の認識用プログラムであって、
前記投光手段は、前記制御手段による前記投光の調整がない期間では、断続的に投光を繰り返すことを特徴とする認識用プログラム。
【００８８】
（付記１８）
付記１４乃至１７の何れか１項に記載の認識用プログラムであって、
前記認識手段は、一次元又は二次元のコードを認識するものであることを特徴とする認識用プログラム。
【００８９】
（付記１９）
付記１４乃至１７の何れか１項に記載の認識用プログラムであって、
前記認識手段は、物品を認識するものであることを特徴とする認識用プログラム。
【産業上の利用可能性】
【００９０】
本発明は、対象物を認識するために利用することができる。
【００９１】
例としては、特に、本発明は、スーパーマーケットにおけるバーコード又は商品自体、流通におけるバーコード印刷商品、倉庫管理における管理バーコード印刷品、運送業におけるバーコード印刷伝票を認識するために利用することができる。
【符号の説明】
【００９２】
１０１  認識装置
１０５  投光部
１０７  撮像部
１０９  対象物認識部
１１１  人面認識部
１１３  入力部
１１５  表示部
１１７  通信部
１１９  制御部
【図１】
2017174179.tif 000003
【図２】
2017174179.tif 000004
【図３】
2017174179.tif 000005
【図４】
2017174179.tif 000006
【図５】
2017174179.tif 000007
【図６】
2017174179.tif 000008
【図７】
2017174179.tif 000009
【図８】
2017174179.tif 000010
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
認識対象物を認識する認識装置であって、
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段の滅灯又は減灯を行う制御手段と、を備え、
前記制御手段は、前記投光手段による投光後、前記撮像画像に基づいて、前記撮像範囲に人面の全部又は一部を認識したかを判断し、前記撮像範囲に人面の全部又は一部を認識した場合は、前記投光手段の滅灯又は減灯を行い、前記撮像範囲に人面の全部又は一部を認識せず、前記認識対象物を認識した場合は、前記認識対象物のデータをＰＯＳ端末装置に送信することを特徴とする認識装置。
【請求項２】
請求項１に記載の認識装置であって、
前記制御手段は、前記投光手段の滅灯又は減灯を行った後、前記撮像画像に基づいて、前記撮像範囲に人面の全部又は一部を認識したかを判断し、前記撮像範囲に人面の全部又は一部を認識した場合は、前記投光手段の滅灯又は減灯を継続し、前記撮像範囲に人面の全部又は一部を認識しない場合は、前記投光手段による投光を再開することを特徴とする認識装置。
【請求項３】
請求項１又は２に記載の認識装置であって、
前記制御手段は、前記投光手段の滅灯又は減灯を行わないときは、前記投光手段に、連続的に投光させることを特徴とする認識装置。
【請求項４】
請求項１又は２に記載の認識装置であって、
前記制御手段は、前記投光手段の滅灯又は減灯を行わないときは、前記投光手段に、断続的に投光を繰り返させることを特徴とする認識装置。
【請求項５】
請求項１乃至４の何れか１項に記載の認識装置であって、
前記対象物認識手段は、一次元又は二次元のコードを認識するものであることを特徴とする認識装置。
【請求項６】
請求項１乃至４の何れか１項に記載の認識装置であって、
前記対象物認識手段は、物品を認識するものであることを特徴とする認識装置。
【請求項７】
請求項１乃至６の何れか１項に記載の認識装置を備えることを特徴とするＰＯＳシステム。
【請求項８】
認識対象物を認識する認識装置の認識方法であって、
投光範囲に投光する投光ステップと、
前記投光範囲の一部又は全部を含む撮像範囲から撮像画像を取得する撮像ステップと、
前記撮像ステップにより取得された撮像画像に基づいて、前記撮像範囲に認識対象物があれば、これを認識する対象物認識ステップと、
前記撮像ステップにより取得された撮像画像に基づいて、前記撮像範囲に人面の全部又は一部があれば、これを認識する人面認識ステップと、
前記投光ステップによる投光後、前記人面認識ステップにより、前記撮像範囲に人面の全部又は一部を認識したかを判断するステップと、
前記人面認識ステップにより前記人面の全部又は一部を認識したならば、前記投光ステップによる前記投光の滅灯又は減灯を行う制御ステップと、
前記人面認識ステップにより前記人面の全部又は一部を認識せず、前記対象物認識ステップにより前記認識対象物を認識したならば、前記認識対象物のデータをＰＯＳ端末装置に送信する制御ステップと、
を備えることを特徴とする認識方法。
【請求項９】
認識対象物を認識する認識装置としてコンピュータを機能させるための認識用プログラムであって、
投光範囲に投光する投光手段と、
前記投光範囲の一部又は全部を含む撮像範囲から撮像画像を取得する撮像手段と、
前記撮像手段により取得された撮像画像に基づいて、前記撮像範囲に認識対象物があれば、これを認識する対象物認識手段と、
前記撮像手段により取得された撮像画像に基づいて、前記撮像範囲に人面の全部又は一部があれば、これを認識する人面認識手段と、
前記人面認識手段が前記人面の全部又は一部があることを認識したならば、前記投光手段の滅灯又は減灯を行う制御手段と、を備え、
前記制御手段は、前記投光手段による投光後、前記撮像画像に基づいて、前記撮像範囲に人面の全部又は一部を認識したかを判断し、前記撮像範囲に人面の全部又は一部を認識した場合は、前記投光手段の滅灯又は減灯を行い、前記撮像範囲に人面の全部又は一部を認識せず、前記認識対象物を認識した場合は、前記認識対象物のデータをＰＯＳ端末装置に送信することを特徴とする認識装置としてコンピュータを機能させるための認識用プログラム。